(57)【要約】ベルトモジュール（３０）はモジュールベルトの分野での使用に適しており、空中部材など装着部材を保持するように設計されている。ベルトモジュール（３０）は、上面（１０６）上に蟻継ぎ部（１０９、１１２）を有する装着部材保持具（１００）からなる。この装着部材保持具（１００）は、装着部材保持具（１００）に対する固定位置に横方向に脚部をスライドさせ、蟻継ぎ部（１０９、１１２）に嵌合する脚部の延伸部を装着部材に備え付けることにより保持具（１００）に取り外し可能に装着されるように設計された装着部材などと嵌合する。
2011502914.tif 000002
【特許請求の範囲】
【請求項１】
装着部材（３７、４９、４００）を保持するモジュール（３０、２３０）において、
第１側端と第２側端を有し、少なくとも一対の対向する蟻継ぎ部（１０９、１１２、１５３、１５６、１５９、１６２）を備えた上面（１０６）を有し、前記蟻継ぎ部（１０９、１１２、１５３、１５６、１５９、１６２）が、前記上面（１０６）の少なくとも一部から上方に延び前記側端の少なくとも一部に対し間隔を空けて設けられた中間部材（１０３）と、
前記中間部材（１０３）から外方に延び、ベルトの移動方向（２２）に対して直角の開口（１２１）を有する複数の第１締結端部（１１５）と、
前記中間部材（１０３）から前記複数の第１締結端部（１１５）と反対方向の外方に延び、前記複数の第１締結端部（１１５）からオフセットされ、ベルトの移動方向（２２）に対して直角の開口（１２１）を有する複数の第２締結端部（１１８）と、
を備えたことを特徴とするモジュール（３０、２３０）。
【請求項２】
更に、前記中間部材（１０３）の上面（１０６）に設けられたリブ（１２０）を備えたことを特徴とする請求項１に記載のモジュール（３０、２３０）。
【請求項３】
前記少なくとも一対の蟻継ぎ部は、二対の蟻継ぎ部（１５３、１５６、１５９、１６２）からなり、該二対の蟻継ぎ部が前記モジュール（３０、２３０）の中間部材（１０３）内で間隔（ａ）により分離されていることを特徴とする請求項１又は２に記載のモジュール（３０、２３０）。
【請求項４】
前記間隔（ａ）は、前記蟻継ぎ部（１５３、１５６、１５９、１６２）の長さに略等しい長さであることを特徴とする請求項３に記載のモジュール（３０、２３０）。
【請求項５】
前記蟻継ぎ部（１０９、１１２、１５３、１５６、１５９、１６２）は、前記装着部材（３７、４９、４００）が予め決められた負荷で外れるように、柔軟であることを特徴とする請求項１から４のいずれかに記載のモジュール（３０、２３０）。
【請求項６】
モジュール（３０、２３０）は、
第１側端と第２側端を有し、少なくとも一対の対向する蟻継ぎ部（１０９、１１２、１５３、１５６、１５９、１６２）を備えた上面（１０６）を有し、前記蟻継ぎ部（１０９、１１２、１５３、１５６、１５９、１６２）が、前記上面（１０６）の少なくとも一部から上方に延び前記側端の少なくとも一部に対し間隔を空けて設けられた中間部材（１０３）と、
前記中間部材（１０３）から外方に延び、ベルトの移動方向（２２）に対して直角の開口（１２１）を有する複数の第１締結端部（１１５）と、
前記中間部材（１０３）から前記複数の第１締結端部（１１５）と反対方向の外方に延び、前記複数の第１締結端部（１１５）からオフセットされ、ベルトの移動方向（２２）に対して直角の開口（１２１）を有する複数の第２締結端部（１１８）と、
を備え、前記上面（１０６）上にリブ（１２０）を有するモジュール（３０、２３０）と、
底面（２５３）から延びる伸長部（２５６）と、前記伸長部（２５６）から延び、前記伸長部（２５６）の幅よりも広い幅（ｂ）を備えた少なくとも１つの脚部（２５０）とを有し、前記脚部（２５０）は遠心端にラッチ（２８１）が設けられた片持ち梁部（２７８）を備えたロック部材（２７５）を有し、前記ロック部材（２７５）がリブ（１２０）と係合可能で前記モジュール（３０、２３０）に固定される装着部材（３７、４９、４００）と、
を組み合わせたことを特徴とする。
【請求項７】
前記少なくとも一対の蟻継ぎ部は、二対の蟻継ぎ部（１５３、１５６、１５９、１６２）からなり、該二対の蟻継ぎ部が前記モジュール（３０、２３０）の中間部材（１０３）内で間隔（ａ）だけ分離されていることを特徴とする請求項６に記載の組合せ。
【請求項８】
前記間隔（ａ）は、前記蟻継ぎ部（１５３、１５６、１５９、１６２）の長さに略等しい長さであることを特徴とする請求項７に記載の組合せ。
【請求項９】
前記蟻継ぎ部（１０９、１１２、１５３、１５６、１５９、１６２）は、前記装着部材（３７、４９、４００）が予め決められた負荷で外れるように、柔軟であることを特徴とする請求項６から８のいずれかに記載の組合せ。
【請求項１０】
ベルトの移動方向（２２）にスプロケット周りに係合可能なベルト（２０、２２９、３００、４０３）において、
中間部材と、ベルトの移動方向（２２）に前記中間部材から外方に延びる複数の第１締結端部（３２）と、前記と反対方向に前記中間部材から外方に延びる複数の第２締結端部（３５）とを有し、前記第１締結端部（３２）と第２締結端部（３５）とがオフセットされ、その中で定義されたベルトの移動方向（２２）に対し直角の開口（１２４）を有する複数の第１ベルトモジュール（２３）と、
第１側端と第２側端を有し、少なくとも一対の対向する蟻継ぎ部（１０９、１１２、１５３、１５６、１５９、１６２）を備えた上面（１０６）を有し、前記蟻継ぎ部（１０９、１１２、１５３、１５６、１５９、１６２）が、前記上面（１０６）の少なくとも一部から上方に延び前記側端の少なくとも一部に対し間隔を空けて設けられた中間部材（１０３）と、
前記中間部材（１０３）から外方に延び、ベルトの移動方向（２２）に対して直角の開口（１２１）を有する複数の第１締結端部（１１５）と、
前記中間部材（１０３）から前記複数の第１締結端部（１１５）と反対方向の外方に延び、前記複数の第１締結端部（１１５）からオフセットされ、ベルトの移動方向（２２）に対して直角の開口（１２１）を有する複数の第２締結端部（１１８）と、
を備え、前記上面（１０６）上にリブ（１２０）を有する複数の第２ベルトモジュール（３０、２３０）と、
ベルトの移動方向（２２）に対し直角に延び、隣接するモジュール（２３、３０、２３０）間に挿入された締結端部（３２、３５、１１５、１１８）の一致する横開口（１２１、１２４）を貫通することで、ベルト（２０、２２９、３００、４０３）の第１側端（３０３、４０６）から第２側端（３０６、４０９）まで延びる回転可能に組み立てられたモジュール（２３、３０、２３０）の列（２１、４０５）を形成する回転ロッド（１３３）と、
底面（２５３）から延びる伸長部（２５６）と、前記伸長部（２５６）から延び、前記伸長部（２５６）の幅よりも広い幅（ｂ）を備えた少なくとも１つの脚部（２５０）とを有し、前記脚部（２５０）は遠心端にラッチ（２８１）が設けられた片持ち梁部（２７８）を備えたロック部材（２７５）を有し、前記ロック部材（２７５）がリブ（１２０）と係合可能で前記モジュール（３０、２３０）に固定される装着部材（３７、４９、４００）と、
を備えたことを特徴とするベルト（２０、２２９、３００、４０３）。
【請求項１１】
前記ベルト（２０、２２９）内の少なくとも一列のモジュール（２１）が、第２モジュール（３０、２３０）のみを備えたことを特徴とする請求項１０に記載のベルト（２０、２２９）。
【請求項１２】
少なくとも一列（４０５）は、第１モジュール（２３）と第２モジュール（３０）を備えたことを特徴とする請求項１０に記載のベルト（４０３）。
【請求項１３】
前記第１ベルトモジュール（２３）は、前記ベルト（３００）の第１側端（３０３）と第２側端（３０６）に設けられたことを特徴とする請求項１０に記載のベルト（３００）。
【請求項１４】
前記第２モジュール（３０、２３０）は、モジュール（３０、２３０）ごとに二対以上の蟻継ぎ部（１５３、１５６、１５９、１６２）を備えたことを特徴とする請求項１０から１３のいずれかに記載のベルト（２２９）。
【請求項１５】
前記少なくとも一対の蟻継ぎ部は、二対の蟻継ぎ部（１５３、１５６、１５９、１６２）からなり、該二対の蟻継ぎ部は前記モジュール（３０、２３０）の中間部材（１０３）内で間隔（ａ）だけ分離されていることを特徴とする請求項１０から１４のいずれかに記載のベルト（２２９）。
【請求項１６】
前記間隔（ａ）は、前記蟻継ぎ部（１５３、１５６、１５９、１６２）の長さに略等しい長さであることを特徴とする請求項１５に記載のベルト（２２９）。
【請求項１７】
前記蟻継ぎ部（１０９、１１２、１５３、１５６、１５９、１６２）は、前記装着部材（３７、４９、４００）が予め決められた負荷で外れるように柔軟であることを特徴とする請求項１０から１６のいずれかに記載のベルト（２０、２２９、３００、４０３）。
【請求項１８】
前記第１ベルトモジュール（２３）は、平坦な格子状であることを特徴とする請求項１０から１７のいずれかに記載のベルト（２０、２２９、３００、４０３）。
【請求項１９】
前記装着部材は、真っ直ぐな直立壁部（４０）を有する空中部材（３７）であることを特徴とする請求項１０から１８のいずれかに記載のベルト（２０、２２９、３００、４０３）。
【請求項２０】
前記装着部材は、波形の壁部（５０）を有する空中部材（４９）であることを特徴とする請求項１０から１９のいずれかに記載のベルト（２０、２２９、３００、４０３）。
【発明の詳細な説明】
【技術分野】
【０００１】
本発明は搬送ベルトに関し、詳しくは、横軸の回転ロッドにより回転可能に連結されたプラスチックベルトモジュール列から構成されたモジュール式プラスチック搬送ベルトに関する。
【背景技術】
【０００２】
モジュールベルトには空中部材（flight）など付属品が備え付けられることがあり、付属品は標準モジュールに連結された特別な空中部材用モジュール上に一体的に生産される可能性がある。空中部材用モジュールは、チェーンの一部として単一のモジュール列に連結されることがあり、または煉瓦積み様式で隣接するモジュール列に連結されることもある。同じベルト種類で種々の型式の装着部材を使用し、または簡単に修理するのに対して一層の順応性を提供するために、特別に設計されたモジュールに取り外し可能な付属品を設けることは公知である。この種のモジュールの例は、米国特許第4,832,183号に示されている。この構造は、ベルトモジュールのリンク間にある中間部材内に凹部を包含するので、付属品（例えば空中部材）をモジュールの側面からロック位置に移すことができる。前記米国特許第4,832,183号に記載されている装着部材を取り付ける、または取り外すには、ベルトの横方向に空間が必要である。この空間は、空中部材自体と同じ幅にしなければならない。自由な横方向移動が阻害され、またはベルトが並んで移動するのであれば、横方向間隔のための空間を利用することができず、付属品の組み付け、または取り外しは、ベルトが取り外された後だけ可能である。その典型的な適用例は、概略的に図１Ａと図１Ｂに示すような製パン所の垂直受皿搬送機を包含する。複数の空中部材１２を備えた特有のベルト１０は、並んで移動し受け皿１３を搬送すると共に、矢印１６の方向である垂直方向にそれらを移動させる。受け皿１３は、焼き製品１４を搬送するために使用される。図１Ａと図１Ｂは一対のベルト１０のみを示す。ベルト１０は矢印１８、１９の方向にスプロケット１７周りに係合する。実際の適用では、底部から上部までベルトと共に移動する一連の受け皿が大きな囲いの中で移動するように、一連のベルトが並んで動いている。
【０００３】
米国特許第6,554,129号はスナップ方式の空中部材を開示するが、これは高負荷で外れる可能性があるので、この方式は全ての適用において十分に安全とはいえない。前述した製パン所用垂直受皿搬送機にとって、特別な要求が満たされなければならない。負荷は通常、非常に高く、装着部材はベルトに十分に固定する必要がある。この適用においては、受け皿は詰まる可能性があり、装着部材が損傷し交換する必要がある。付属品またはベルトは完全に壊れるかもしれない。その場合には、除去可能な装着部材のみが損傷し、ベルトは損傷しないことの保証が望まれる。
【０００４】
従って、装着部材を順応性のある態様で固定できる除去可能な装着部材に対する要求がある。この方式は、外れるおそれがなくて高負荷を許容する装着部材の確実な固定を提供する。この方式は、大幅な横方向間隔を必要としない。また、この方式は過負荷による損傷からベルトを保護するために計算された限度での装着部材の破損の状態で、任意に離脱可能とすべきである。
【発明の概要】
【０００５】
本発明は、独立特許項１による装着部材を保持するモジュールと、独立請求項６によるモジュールと装着部材の組合せを提供することにより、上述した要求を満足させる。独立請求項１０はベルトを定義する。好適な実施形態が、従属請求項から明らかになる。
【発明の効果】
【０００６】
本発明の本質は、以下に存する。
【０００７】
装着部材を保持するモジュールは、上面を有する中間部材を備え、この中間部材は、上面の上方に延びる少なくとも一対の対向する蟻継ぎ部(dovetail section)を有する。この蟻継ぎ部は、前記モジュールの側端から間隔を空けて設けられている。モジュールは、中間部材から外方に延びる複数の第１締結端部を有する。複数の第１締結端部は、その中に規定された横開口を有する。複数の第２締結端部は、中間部材から複数の第１締結端部と反対方向の外方に延びる。複数の第２締結端部は、複数の第１締結端部からオフセットされているので、複数の第１締結端部は、隣接モジュールの複数の第２締結端部に挿入することができる。複数の第２締結端部はまた、その中に規定された横回転ロッド用開口部を備えている。隣接モジュールの第１締結端部と第２締結端部が挿入されるとき、横回転ロッドが挿入され、隣接するモジュール列が回転可能に連結され、スプロケット周りに係合することができるエンドレスベルトを形成する。
【０００８】
本発明は図面に示され、その中で同じ符号は図面を通じて同じ、または同様の部分を示す。
【図面の簡単な説明】
【０００９】
【図１Ａ】従来の垂直コンベヤによる概略図である。
【図１Ｂ】図１Ａのコンベヤの正面図である。
【図２Ａ】本発明による空中装着部材を備えたベルトの実施形態を示す斜視図である。
【図２Ｂ】本発明による空中装着部材の代案の実施形態を備えた図２Ａのベルトを示す斜視図である。
【図３Ａ】装着部材が取り外されモジュール毎に１つの装着部材保持具を有する個々のベルトモジュールを示す図２Ａのベルトの斜視図である。
【図３Ｂ】モジュール毎に２つの装着部材保持具を備えた本発明によるベルトの代案の実施形態を示す斜視図である。
【図４Ａ】単一の装着部材保持具を備えた本発明によるモジュールの実施形態を示す拡大斜視図である。
【図４Ｂ】モジュールに２つの装着部材保持具を設けた本発明によるモジュールの代案の実施形態を示す拡大平面図である。
【図５Ａ】本発明による空中装着部材の実施形態を示す斜視図である。
【図５Ｂ】本発明による空中装着部材の代案の実施形態を示す斜視図である。
【図５Ｃ】図５Ｂの装着部材の一部を示す拡大斜視図である。
【図６Ａ】図５Ｂの装着部材と図４Ａに示すモジュールの装着部材保持具との係合を示す斜視図である。
【図６Ｂ】図４Ａに示すモジュールの装着部材保持具に関する図５Ｂの装着部材の一部を示す拡大斜視図である。
【図６Ｃ】図５Ｂの装着部材の一部の斜視図であり図４Ａのモジュールの装着部材保持具に係合する空中装着部材を示す斜視図である。
【図６Ｄ】図４Ａに示すモジュールの装着部材保持具と係合する図５Ｂの空中装着部材を示す端面図である。
【図７Ａ】本発明による取り付けられた空中装着部材を備えたベルトの実施形態を示す斜視図である。
【図７Ｂ】空中装着部材を取り外した図７Ａのベルトを示す斜視図である。
【図８Ａ】モジュールに装着部材保持具を取り付けた本発明による空中装着部材の代案の実施形態を示す拡大斜視図である。
【図８Ｂ】図８Ａの空中装着部材の代案の実施形態を示す斜視図である。
【発明を実施するための形態】
【００１０】
図２Ａでは、本開示に基づく当業者に明らかなように、モジュールベルト２０は回転ロッド２６が一致する横回転ロッド開口部２９に貫通することにより、回転可能に接続された複数のベルトモジュール２３を備えている。ベルト２０は矢印２２の方向に移動する垂直受け皿コンベヤとして使用される。ベルトモジュール２３は平坦な格子形状であり、上面から底面に至るまで貫通して設けられた開口２４を備えている。本発明はまた、他の型式のモジュールを利用してもよく、閉じられた平坦な表面モジュールを含むが、これに限定されない。個々のモジュール２３は一方の縁から延びる複数の第１締結端部３２と、他方の縁から延びる複数の第２締結端部３５とを有している。
【００１１】
ベルト２０には、空中部材３７などの装着部材をベルト２０に固定する装着部材保持具１００を有する特別に設計されたモジュール３０（図３Ａおよび３Ｂ）が設けられている。前記装着部材は、ポリプロピレン、ポリエチレン、ポリアセタール、ポリアミドなど剛性プラスチック材料から生産されてもよい。また装着部材は、熱可塑性ゴム状材料など弾性材から生産されてもよい。図２Ａに示すように、空中部材３７は基部４１から延びる真っ直ぐな直立壁部４０を備えている。空中部材３７は傾斜端部４３および４６を包含する。図２Ｂに示す代案のように、壁部５０からなる空中部材４９を使用してもよい。壁部５０は基部５１から延びている。壁部５０は波形であり、一対の傾斜部５２、５５を包含する。波形の空中部材４９は、その均一な壁部の厚さにより容易に清掃することができ、また容易に成形される強く堅い構造など複数の利点を提供する。バケット、湾曲した空中部材、弾性空中部材、有孔空中部材など他の型式の装着部材も可能である。
【００１２】
図３Ａを参照すると、ベルト２０は装着部材保持具１００を備えたモジュール３０を包含する。図示のように、ベルトモジュールの列２１内に挿入された装着部材保持具１００を有する４つのモジュール３０が存する。個々の装着部材保持具１００は、空中部材を支持する面部１０６を備えた中央部１０３を有する。一対の蟻継ぎ部１０９，１１２は互いに対向し、面部１０６から間隔を空けて配設されている。モジュール３０は、隣接するモジュール２３の締結端部３２と３５に挿入するように、ベルトの移動方向に対向する縁部から延び、間隔を隔てた締結端部１１５と１１８を有する。締結端部１１５、１１８は挿入される締結端部３２、３５内の横開口１２４と一致する横開口１２１（図４Ａ）を有する。横開口１２１と１２４が一致すると、本開示に基づく当業者に明らかなように、横回転ロッド１３３を挿入することによりモジュール３０は隣接するモジュール２３に連結される。図３Ａに示すように、面部１０６は図中、モジュール３０の右側に視認できる幅Ｗ１を有する。モジュール３０の中央に向かって蟻継ぎ部１０９、１１２は、面部１０６の一部を外部にさらすより小さな開口Ｗ２を形成する端壁１３６を有する。リブ１２０は面部１０６上に、装着部材保持具１００の左側に向かって配設されている。リブ１２０は、以下で更に詳述する空中装着部材の保持構造を提供する。保持具１００の追加構造と空中装着部材との係合の詳細は、以下に説明する。
【００１３】
図３Ｂでは、保持具１００を備えたモジュール３０の代案の実施形態が示されている。モジュール２３０は、４つの蟻継ぎ部１５３，１５６、１５９、１６２からなる装着部材保持具１５０を備えている。ベルト２０は装着部材保持具１５０を備えた２つのモジュール２３０と共に示されており、装着部材保持具１５０は一列２１のベルト２２９からなる。
【００１４】
図４Ａを参照すると、装着部材保持具１００を備えたモジュール３０が詳細に示されている。蟻継ぎ部１０９、１１２は上方に延び、モジュール３０の面部１０６と実質的に平行に延びている。蟻継ぎ部１０９、１１２は、モジュール３０の中央部１１３の幅Ｗ１よりも小さな幅Ｗ２を有するスロットを形成している。中央部１１３は、面部１０６と側壁１０７により境界付けられた溝１１４を形成するように凹んでいてもよい。面部１０６と蟻継ぎ部１０９、１１２は、リブ１２０と蟻継ぎ部１０９、１１２の下部に延伸する側端２０１、２０２まで延びるＴ字型開口を形成している。
【００１５】
図４Ｂには、装着部材保持具１５０を備えたモジュール２３０が示されている。蟻継ぎ部１５３、１５６は距離ａだけ蟻継ぎ部１５９、１６２から離れている。蟻継ぎ部間の間隔ａは、図４Ａに示す隣接モジュール３０により設けられてもよく、または図４Ｂに示す単一のモジュール２３０内に一体的に設けられてもよい。どちらの配置でも、開口ａは本願明細書で詳述する装着部材を組み込むための空間を提供する。
【００１６】
図５Ａから図５Ｃを参照すると、空中部材３７には、空中部材３７の底面２５３から延びる脚部２５０が設けられている。脚部２５０は（図５Ｃに波形の空中部材４９と連結して示されているように）、空中部材の底部にあるレール状部２５６に取り付けられてもよい。脚部２５０は幅ｂを有し、レール状部２５６よりも幅広い。脚部２５０は側壁２６５、２６８を備えた正方形または矩形形状である。脚部２５０の底面２７１は、空中部材４９の底面２５３に実質的に平行に延びている。１つの脚部２５０の前方には、ロック部材２７５が設けられている。ロック部材２７５は、末端に配設されたラッチ２８１に向かって延びる片持ち梁部２７８を有する。片持ち梁部２７８は反ることができるので、ラッチ２８１はリブ１２０を乗り越えて通過し、それからリブ１２０と係合し装着部材を装着部材保持具内の適所に固定する。
【００１７】
図６Ａおよび図６Ｂを参照すると、装着部材の取り付け方が示されている。図６Ａには、装着部材保持具１００を備えた４つのモジュール３０が一列に一致しており、締結端部１１８は隣接モジュールと回動可能に連結されるように、横配列に設けられている。モジュール３０は端壁２８４に沿って互いに隣接するように配設されている。この配列は脚部２５０を受け入れるための隙間Ａを生み出している。図６Ｂに示すように、脚部２５０を受けるためスロットはモジュール３０の底面１０６、側壁１０７および蟻継ぎ部１０９により形成されている。スロットは図示のように、その端部でリブ１２０により境をなしている。装着部材保持具１００の他の側面は、蟻継ぎ部１１２、対向側壁１０７および面部１０６により同じように形成されている。
【００１８】
図６Ｃを参照すると、脚部２５０を前述したスロット内に滑らかに動かすことにより装着部材が取り付けられ、ラッチ２８１をリブ１２０の上をスライドさせ（図の配置に対して右から左への方向）、図示する位置に固定するので、装着部材は、リブ１２０からラッチ２８１を解除することなしにスロット内を横方向に動かすことができない。
【００１９】
図６Ｄでは、ラッチ２８１がリブ１２０と係合している。モジュール３０は、一致した横回転ロッド開口部１２１、１２４内に配設された横回転ロッド１３３を介して隣接モジュール２３に接続されている。レール状部２５６は蟻継ぎ部１０９、１１２の間で延び、脚部２５０は蟻継ぎ部１０９、１１２の近傍に生じた空間内に係合する。脚部２５０は図６Ｄのリブ１２０により固定され、それ故に視認できない。
【００２０】
図７Ａと図７Ｂを参照すると、本発明によるベルト３００は平らな格子モジュールとして示された標準モジュール２３を包含する。装着部材は、傾斜端部４３および４６まで延びる直立壁部４０からなる空中部材３７である。空中部材３７はベルト３００の第１側端３０３から、これに対向する側端３０６まで延びている。しかし、ベルト３００は、前記側端３０３、３０６に近接する側面に標準モジュール２３を有している。図７Ｂでは、ベルト３００が空中部材３７が取り外された状態で示されている。装着部材保持具１５０を備えた一対のモジュール２３０がベルト３００の中央に連結されている。標準モジュール２３がベルトの側端３０３、３０６に設けられている。
【００２１】
図８Ａおよび図８Ｂを参照すると、短い装着部材４００を備えた本発明による代案の実施形態が示されている。ベルト４０３は側端４０６と４０９を有する。短い装着部材４００は、個々のモジュール３０上の装着部材保持具１００に連結されている。個々のモジュール３０は図示のように、同じ列４０５で標準モジュール２３と互い違いになってもよい。
【００２２】
本発明により、横の間隔が制限される場所への適用において、順応性を含め多くの利点が提供される。個々の空中部材に必要とされる横方向移動は脚部の幅ｂに一致し、非常に短く（例えば３０ｍｍ）設計することができる。
【００２３】
本発明によりまた、モジュール３０を一列に並んで組み立てられる単一の装着部材保持具１００と共に使用することができる。装着部材保持具１００の数は、装着部材の長さに依存する。装着部材保持具を短い区分に分割することは特に利点を有する。すなわち、短いモジュールは種々の装着部材の長さに使用することができるため、より順応で多用途である。装着部材がベルトを損傷することなく所定の負荷で外れることを可能にするため予め決められた固着力が要求されるのであれば、装着部材保持具の数を削減することができ、短いモジュールは中間およびベルト端部に通常のモジュールを組み合わせてもよい。
【００２４】
ベルトを損傷することなく取り外す装着部材を提供するため、装着部材保持具は所定の力制限以下で装着部材を保持するように設計されてもよく、仮に前記制限を超えても保持具は柔軟に開口し損傷することなく空中部材を切り離す。このフェールセーフ設計特性は、種々の方法により達成される。蟻継ぎ部は、装着部材を切り離すのに十分に柔軟な素材から形成されてもよい。ばねなど他の手段を使用してもよい。一旦、残存している破損箇所が除去されると、新しい空中装着部材に置き換えてもよい。他の可能性は空中装着部材の立壁を必要な大きさにすることで、装着部材保持具の近傍で予め決められた負荷で壊れるであろう。
【００２５】
本発明を所定の実施形態と関連して説明したが、本発明の範囲を説明した特定の形態に限定する意図はなく、その反対に添付クレームにより規定された発明の範囲内に含むであろう代案、改良例および均等物をカバーするように意図されている。
【符号の説明】
【００２６】
２０、２２９、３００、４０３  ベルト
２２  ベルトの移動方向
２３  第１ベルトモジュール
３０、２３０  第２ベルトモジュール
３２  第１締結端部
３５  第２締結端部
３７、４９、４００  装着部材
１０３  中間部材
１０６  上面
１０９、１１２、１５３、１５６、１５９、１６２  蟻継ぎ部
１１５  第１締結端部
１１８  第２締結端部
１２０  リブ
１２１  開口
１２４  開口
２５０  脚部
２５３  底面
２５６  伸長部
２７５  ロック部材
２８１  ラッチ
３０３、４０６  第１側端
３０６、４０９  第２側端
【図１Ａ】
2011502914.tif 000003
【図１Ｂ】
2011502914.tif 000004
【図２Ａ】
2011502914.tif 000005
【図２Ｂ】
2011502914.tif 000006
【図３Ａ】
2011502914.tif 000007
【図３Ｂ】
2011502914.tif 000008
【図４Ａ】
2011502914.tif 000009
【図４Ｂ】
2011502914.tif 000010
【図５Ａ】
2011502914.tif 000011
【図５Ｂ】
2011502914.tif 000012
【図５Ｃ】
2011502914.tif 000013
【図６Ａ】
2011502914.tif 000014
【図６Ｂ】
2011502914.tif 000015
【図６Ｃ】
2011502914.tif 000016
【図６Ｄ】
2011502914.tif 000017
【図７Ａ】
2011502914.tif 000018
【図７Ｂ】
2011502914.tif 000019
【図８Ａ】
2011502914.tif 000020
【図８Ｂ】
2011502914.tif 000021
【手続補正書】
【提出日】平成21年8月28日(2009.8.28)
【手続補正１】
【補正対象書類名】明細書
【補正対象項目名】０００７
【補正方法】変更
【補正の内容】
【０００７】
装着部材を保持するモジュールは、上面を有する中間部材を備え、この中間部材は、上面の上方に延びる少なくとも一対のフランジ部を有し、このフランジ部はベルトの移動方向に互いに対向するように設けられている。少なくとも１つの側端が、全てのフランジ部に対して間隔を空けて設けられている。モジュールは、中間部材から外方に延びる複数の第１締結端部を有する。複数の第１締結端部は、その中に規定された横開口を有する。複数の第２締結端部は、中間部材から複数の第１締結端部と反対方向の外方に延びる。複数の第２締結端部は、複数の第１締結端部からオフセットされているので、複数の第１締結端部は、隣接モジュールの複数の第２締結端部に挿入することができる。複数の第２締結端部はまた、その中に規定された横回転ロッド用開口部を備えている。隣接モジュールの第１締結端部と第２締結端部が挿入されるとき、横回転ロッドが挿入され、隣接するモジュール列が回転可能に連結され、スプロケット周りに係合することができるエンドレスベルトを形成する。
【手続補正２】
【補正対象書類名】明細書
【補正対象項目名】００１２
【補正方法】変更
【補正の内容】
【００１２】
図３Ａを参照すると、ベルト２０は装着部材保持具１００を備えたモジュール３０を包含する。図示のように、ベルトモジュールの列２１内に挿入された装着部材保持具１００を有する４つのモジュール３０が存する。個々の装着部材保持具１００は、空中部材を支持する面部１０６を備えた中央部１０３を有する。一対のフランジ部１０９，１１２は互いに対向し、面部１０６から間隔を空けて配設されている。モジュール３０は、隣接するモジュール２３の締結端部３２と３５に挿入するように、ベルトの移動方向に対向する縁部から延び、間隔を隔てた締結端部１１５と１１８を有する。締結端部１１５、１１８は挿入される締結端部３２、３５内の横開口１２４と一致する横開口１２１（図４Ａ）を有する。横開口１２１と１２４が一致すると、本開示に基づく当業者に明らかなように、横回転ロッド１３３を挿入することによりモジュール３０は隣接するモジュール２３に連結される。図３Ａに示すように、面部１０６は図中、モジュール３０の右側に視認できる幅Ｗ１を有する。モジュール３０の中央に向かってフランジ部１０９、１１２は、面部１０６の一部を外部にさらすより小さな開口Ｗ２を形成する端壁１３６を有する。リブ１２０は面部１０６上に、装着部材保持具１００の左側に向かって配設されている。リブ１２０は、以下で更に詳述する空中装着部材の保持構造を提供する。保持具１００の追加構造と空中装着部材との係合の詳細は、以下に説明する。
【手続補正３】
【補正対象書類名】明細書
【補正対象項目名】００１３
【補正方法】変更
【補正の内容】
【００１３】
図３Ｂでは、保持具１００を備えたモジュール３０の代案の実施形態が示されている。モジュール２３０は、４つのフランジ部１５３，１５６、１５９、１６２からなる装着部材保持具１５０を備えている。ベルト２０は装着部材保持具１５０を備えた２つのモジュール２３０と共に示されており、装着部材保持具１５０は一列２１のベルト２２９からなる。
【手続補正４】
【補正対象書類名】明細書
【補正対象項目名】００１４
【補正方法】変更
【補正の内容】
【００１４】
図４Ａを参照すると、装着部材保持具１００を備えたモジュール３０が詳細に示されている。フランジ部１０９、１１２は上方に延び、モジュール３０の面部１０６と実質的に平行に延びている。フランジ部１０９、１１２は、モジュール３０の中央部１１３の幅Ｗ１よりも小さな幅Ｗ２を有するスロットを形成している。中央部１１３は、面部１０６と側壁１０７により境界付けられた溝１１４を形成するように凹んでいてもよい。面部１０６とフランジ部１０９、１１２は、リブ１２０とフランジ部１０９、１１２の下部に延伸する側端２０１、２０２まで延びるＴ字型開口を形成している。
【手続補正５】
【補正対象書類名】明細書
【補正対象項目名】００１５
【補正方法】変更
【補正の内容】
【００１５】
図４Ｂには、装着部材保持具１５０を備えたモジュール２３０が示されている。フランジ部１５３、１５６は距離ａだけフランジ部１５９、１６２から離れている。フランジ部間の間隔ａは、図４Ａに示す隣接モジュール３０により設けられてもよく、または図４Ｂに示す単一のモジュール２３０内に一体的に設けられてもよい。どちらの配置でも、開口ａは本願明細書で詳述する装着部材を組み込むための空間を提供する。
【手続補正６】
【補正対象書類名】明細書
【補正対象項目名】００１７
【補正方法】変更
【補正の内容】
【００１７】
図６Ａおよび図６Ｂを参照すると、装着部材の取り付け方が示されている。図６Ａには、装着部材保持具１００を備えた４つのモジュール３０が一列に一致しており、締結端部１１８は隣接モジュールと回動可能に連結されるように、横配列に設けられている。モジュール３０は端壁２８４に沿って互いに隣接するように配設されている。この配列は脚部２５０を受け入れるための隙間Ａを生み出している。図６Ｂに示すように、脚部２５０を受けるためスロットはモジュール３０の底面１０６、側壁１０７およびフランジ部１０９により形成されている。スロットは図示のように、その端部でリブ１２０により境をなしている。装着部材保持具１００の他の側面は、フランジ部１１２、対向側壁１０７および面部１０６により同じように形成されている。
【手続補正７】
【補正対象書類名】明細書
【補正対象項目名】００１９
【補正方法】変更
【補正の内容】
【００１９】
図６Ｄでは、ラッチ２８１がリブ１２０と係合している。モジュール３０は、一致した横回転ロッド開口部１２１、１２４内に配設された横回転ロッド１３３を介して隣接モジュール２３に接続されている。レール状部２５６はフランジ部１０９、１１２の間で延び、脚部２５０はフランジ部１０９、１１２の近傍に生じた空間内に係合する。脚部２５０は図６Ｄのリブ１２０により固定され、それ故に視認できない。
【手続補正８】
【補正対象書類名】明細書
【補正対象項目名】００２４
【補正方法】変更
【補正の内容】
【００２４】
ベルトを損傷することなく取り外す装着部材を提供するため、装着部材保持具は所定の力制限以下で装着部材を保持するように設計されてもよく、仮に前記制限を超えても保持具は柔軟に開口し損傷することなく空中部材を切り離す。このフェールセーフ設計特性は、種々の方法により達成される。フランジ部は、装着部材を切り離すのに十分に柔軟な素材から形成されてもよい。ばねなど他の手段を使用してもよい。一旦、残存している破損箇所が除去されると、新しい空中装着部材に置き換えてもよい。他の可能性は空中装着部材の立壁を必要な大きさにすることで、装着部材保持具の近傍で予め決められた負荷で壊れるであろう。
【手続補正９】
【補正対象書類名】明細書
【補正対象項目名】００２６
【補正方法】変更
【補正の内容】
【００２６】
２０、２２９、３００、４０３  ベルト
２２  ベルトの移動方向
２３  第１ベルトモジュール
３０、２３０  第２ベルトモジュール
３２  第１締結端部
３５  第２締結端部
３７、４９、４００  装着部材
１０３  中間部材
１０６  上面
１０９、１１２、１５３、１５６、１５９、１６２  フランジ部
１１５  第１締結端部
１１８  第２締結端部
１２０  リブ
１２１  開口
１２４  開口
２５０  脚部
２５３  底面
２５６  伸長部
２７５  ロック部材
２８１  ラッチ
３０３、４０６  第１側端
３０６、４０９  第２側端
【手続補正１０】
【補正対象書類名】特許請求の範囲
【補正対象項目名】全文
【補正方法】変更
【補正の内容】
【特許請求の範囲】
【請求項１】
装着部材（３７、４９、４００）を保持するモジュール（３０、２３０）において、
第１側端と第２側端を有し、少なくとも一対のフランジ部（１０９、１１２、１５３、１５６、１５９、１６２）を備えた上面（１０６）を有し、フランジ部（１０９、１１２、１５３、１５６、１５９、１６２）が、前記上面（１０６）の少なくとも一部から上方に延びベルトの移動方向（２２）に互いに対向するように設けられた中間部材（１０３）と、
前記中間部材（１０３）から外方に延び、ベルトの移動方向（２２）に対して直角の開口（１２１）を有する複数の第１締結端部（１１５）と、
前記中間部材（１０３）から前記複数の第１締結端部（１１５）と反対方向の外方に延び、前記複数の第１締結端部（１１５）からオフセットされ、ベルトの移動方向（２２）に対して直角の開口（１２１）を有する複数の第２締結端部（１１８）と、
を備え、
少なくとも１つの前記側端が、全てのフランジ部（１０９、１１２、１５３、１５６、１５９、１６２）に対して間隔を空けて設けられていることを特徴とするモジュール（３０、２３０）。
【請求項２】
更に、前記中間部材（１０３）の上面（１０６）に設けられたリブ（１２０）を備えたことを特徴とする請求項１に記載のモジュール（３０、２３０）。
【請求項３】
前記少なくとも一対のフランジ部は、二対のフランジ部（１５３、１５６、１５９、１６２）からなり、該二対のフランジ部が前記モジュール（３０、２３０）の中間部材（１０３）内で間隔（ａ）により分離されていることを特徴とする請求項１又は２に記載のモジュール（３０、２３０）。
【請求項４】
前記間隔（ａ）は、前記フランジ部（１５３、１５６、１５９、１６２）の長さに略等しい長さであることを特徴とする請求項３に記載のモジュール（３０、２３０）。
【請求項５】
前記フランジ部（１０９、１１２、１５３、１５６、１５９、１６２）は、前記装着部材（３７、４９、４００）が予め決められた負荷で外れるように、柔軟であることを特徴とする請求項１から４のいずれかに記載のモジュール（３０、２３０）。
【請求項６】
モジュール（３０、２３０）は、
第１側端と第２側端を有し、少なくとも一対の対向するフランジ部（１０９、１１２、１５３、１５６、１５９、１６２）を備えた上面（１０６）を有し、フランジ部（１０９、１１２、１５３、１５６、１５９、１６２）が、前記上面（１０６）の少なくとも一部から上方に延び前記側端の少なくとも一部に対し間隔を空けて設けられた中間部材（１０３）と、
前記中間部材（１０３）から外方に延び、ベルトの移動方向（２２）に対して直角の開口（１２１）を有する複数の第１締結端部（１１５）と、
前記中間部材（１０３）から前記複数の第１締結端部（１１５）と反対方向の外方に延び、前記複数の第１締結端部（１１５）からオフセットされ、ベルトの移動方向（２２）に対して直角の開口（１２１）を有する複数の第２締結端部（１１８）と、
を備え、前記上面（１０６）上にリブ（１２０）を有するモジュール（３０、２３０）と、
底面（２５３）から延びる伸長部（２５６）と、前記伸長部（２５６）から延び、前記伸長部（２５６）の幅よりも広い幅（ｂ）を備えた少なくとも１つの脚部（２５０）とを有し、前記脚部（２５０）は遠心端にラッチ（２８１）が設けられた片持ち梁部（２７８）を備えたロック部材（２７５）を有し、前記ロック部材（２７５）がリブ（１２０）と係合可能で前記モジュール（３０、２３０）に固定される装着部材（３７、４９、４００）と、
を組み合わせたことを特徴とする。
【請求項７】
前記少なくとも一対のフランジ部は、二対のフランジ部（１５３、１５６、１５９、１６２）からなり、該二対のフランジ部が前記モジュール（３０、２３０）の中間部材（１０３）内で間隔（ａ）だけ分離されていることを特徴とする請求項６に記載の組合せ。
【請求項８】
前記間隔（ａ）は、前記フランジ部（１５３、１５６、１５９、１６２）の長さに略等しい長さであることを特徴とする請求項７に記載の組合せ。
【請求項９】
前記フランジ部（１０９、１１２、１５３、１５６、１５９、１６２）は、前記装着部材（３７、４９、４００）が予め決められた負荷で外れるように、柔軟であることを特徴とする請求項６から８のいずれかに記載の組合せ。
【請求項１０】
ベルトの移動方向（２２）にスプロケット周りに係合可能なベルト（２０、２２９、３００、４０３）において、
中間部材と、ベルトの移動方向（２２）に前記中間部材から外方に延びる複数の第１締結端部（３２）と、前記と反対方向に前記中間部材から外方に延びる複数の第２締結端部（３５）とを有し、前記第１締結端部（３２）と第２締結端部（３５）とがオフセットされ、その中で定義されたベルトの移動方向（２２）に対し直角の開口（１２４）を有する複数の第１ベルトモジュール（２３）と、
第１側端と第２側端を有し、少なくとも一対の対向するフランジ部（１０９、１１２、１５３、１５６、１５９、１６２）を備えた上面（１０６）を有し、フランジ部（１０９、１１２、１５３、１５６、１５９、１６２）が、前記上面（１０６）の少なくとも一部から上方に延び前記側端の少なくとも一部に対し間隔を空けて設けられた中間部材（１０３）と、
前記中間部材（１０３）から外方に延び、ベルトの移動方向（２２）に対して直角の開口（１２１）を有する複数の第１締結端部（１１５）と、
前記中間部材（１０３）から前記複数の第１締結端部（１１５）と反対方向の外方に延び、前記複数の第１締結端部（１１５）からオフセットされ、ベルトの移動方向（２２）に対して直角の開口（１２１）を有する複数の第２締結端部（１１８）と、
を備え、前記上面（１０６）上にリブ（１２０）を有する複数の第２ベルトモジュール（３０、２３０）と、
ベルトの移動方向（２２）に対し直角に延び、隣接するモジュール（２３、３０、２３０）間に挿入された締結端部（３２、３５、１１５、１１８）の一致する横開口（１２１、１２４）を貫通することで、ベルト（２０、２２９、３００、４０３）の第１側端（３０３、４０６）から第２側端（３０６、４０９）まで延びる回転可能に組み立てられたモジュール（２３、３０、２３０）の列（２１、４０５）を形成する回転ロッド（１３３）と、
底面（２５３）から延びる伸長部（２５６）と、前記伸長部（２５６）から延び、前記伸長部（２５６）の幅よりも広い幅（ｂ）を備えた少なくとも１つの脚部（２５０）とを有し、前記脚部（２５０）は遠心端にラッチ（２８１）が設けられた片持ち梁部（２７８）を備えたロック部材（２７５）を有し、前記ロック部材（２７５）がリブ（１２０）と係合可能で前記モジュール（３０、２３０）に固定される装着部材（３７、４９、４００）と、
を備えたことを特徴とするベルト（２０、２２９、３００、４０３）。
【請求項１１】
前記ベルト（２０、２２９）内の少なくとも一列のモジュール（２１）が、第２モジュール（３０、２３０）のみを備えたことを特徴とする請求項１０に記載のベルト（２０、２２９）。
【請求項１２】
少なくとも一列（４０５）は、第１モジュール（２３）と第２モジュール（３０）を備えたことを特徴とする請求項１０に記載のベルト（４０３）。
【請求項１３】
前記第１ベルトモジュール（２３）は、前記ベルト（３００）の第１側端（３０３）と第２側端（３０６）に設けられたことを特徴とする請求項１０に記載のベルト（３００）。
【請求項１４】
前記第２モジュール（３０、２３０）は、モジュール（３０、２３０）ごとに二対以上のフランジ部（１５３、１５６、１５９、１６２）を備えたことを特徴とする請求項１０から１３のいずれかに記載のベルト（２２９）。
【請求項１５】
前記少なくとも一対のフランジ部は、二対のフランジ部（１５３、１５６、１５９、１６２）からなり、該二対のフランジ部は前記モジュール（３０、２３０）の中間部材（１０３）内で間隔（ａ）だけ分離されていることを特徴とする請求項１０から１４のいずれかに記載のベルト（２２９）。
【請求項１６】
前記間隔（ａ）は、前記フランジ部（１５３、１５６、１５９、１６２）の長さに略等しい長さであることを特徴とする請求項１５に記載のベルト（２２９）。
【請求項１７】
前記フランジ部（１０９、１１２、１５３、１５６、１５９、１６２）は、前記装着部材（３７、４９、４００）が予め決められた負荷で外れるように柔軟であることを特徴とする請求項１０から１６のいずれかに記載のベルト（２０、２２９、３００、４０３）。
【請求項１８】
前記第１ベルトモジュール（２３）は、平坦な格子状であることを特徴とする請求項１０から１７のいずれかに記載のベルト（２０、２２９、３００、４０３）。
【請求項１９】
前記装着部材は、真っ直ぐな直立壁部（４０）を有する空中部材（３７）であることを特徴とする請求項１０から１８のいずれかに記載のベルト（２０、２２９、３００、４０３）。
【請求項２０】
前記装着部材は、波形の壁部（５０）を有する空中部材（４９）であることを特徴とする請求項１０から１９のいずれかに記載のベルト（２０、２２９、３００、４０３）。
【国際調査報告】
2011502914.tif 000022
2011502914.tif 000023
2011502914.tif 000024
2011502914.tif 000025